(57)【特許請求の範囲】
【請求項１】
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器の前方に上端を枢支して前後に回動可能に設けたプッシュ式操作手段であり、
前記煙道に支軸を支点として前後に回動して排気口を開閉する開閉板を有する開閉装置と、
前記操作手段と前記開閉装置の開閉板とを連設して前記開閉板の開閉を行う連動手段とを備え、
点火操作時に操作手段がプッシュ操作されると前記連動手段を介して前記開閉板が開かれ、また、消火操作時に操作手段が前方へ戻されると同時に前記連動手段で前記開閉板が閉じられることを特徴とするガスグリル。
【請求項２】
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器の前方に上端を枢支して前後に回動可能に設けたプッシュ式操作手段であり、
前記煙道に設けたガイドレールに沿って移動して排気口を開閉するスライド式開閉板を有する開閉装置と、
枢軸を支点として前後へ回動する中間連動杆の上端を前記スライド式開閉板と連設し、かつ下端を前記操作手段とを連設して前記開閉板の開閉を行う連動手段とを備え、
点火操作時に操作手段がプッシュ操作されると前記連動手段を介して前記開閉板が開かれ、また、消火操作時に操作手段が前方へ戻されると同時に前記連動手段で前記開閉板が閉じられることを特徴とするガスグリル。
【請求項３】
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器を点火操作時に時計方向に所定角度回動し、かつ消火操作時に反時計方向に所定角度回動する回転式操作手段であり、
前記煙道に支軸を支点として前後に回動して排気口を開閉する開閉板を有する開閉装置と、
前記点滅器のコック軸に回転方向に固定され、かつ開閉板を開閉するための凹部と凸部を有するカム板と、
枢軸を支点として上下回動可能に設けられ、基端部が前記カム板にバネで常時圧接して備えられかつ先端部が前記開閉装置の開閉板に連設され、前記カム板の回転による基端部の上下動により先端部が昇降されて前記開閉板の開閉を行う連動手段とを備え、
点火操作時、前記操作手段ともに回動される前記カム板により前記連動手段を介して前記開閉板が開かれ、消火操作時、前記操作手段ともに回動される前記カム板により前記連動手段を介して前記開閉板が閉じられることを特徴とするガスグリル。
【請求項４】
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器を点火操作時に時計方向に所定角度回動し、かつ消火操作時に反時計方向に所定角度回動する回転式操作手段であり、
前記煙道に設けたガイドレールに沿ってスライド可能に備えて排気口を開閉するシャッター式開閉板を有する開閉装置と、
前記点滅器のコック軸に回転方向に固定され、かつ開閉板を開閉するための凹部と凸部を有するカム板と、
枢軸を支点として上下回動可能に設けられ、基端部が前記カム板にバネで常時圧接して備えられかつ先端部が前記開閉装置のシャッター式開閉板に連設され、前記カム板の回転による基端部の上下動により先端部が昇降されて前記開閉板の開閉を行う連動手段とを備え、
点火操作時、前記操作手段ともに回動される前記カム板により前記連動手段を介して前記開閉板が開かれ、消火操作時、前記操作手段ともに回動される前記カム板により前記連動手段を介して前記開閉板が閉じられることを特徴とするガスグリル。
【発明の詳細な説明】
【０００１】
【発明の属する技術分野】
この発明はグリル庫内で魚等の被調理物を加熱調理するガスグリルに関する。
【０００２】
【従来の技術】
従来からガスこんろにおいては、グリル庫内で魚等の被調理物を加熱調理するガスグリルを組み込んだものは知られている。こうしたガスグリルは、たとえば、図１２に示されているように、グリル庫１７内に被調理物１８を載置する焼き網１９と、被調理物１８からの焼き油等を受ける受け皿２０とを備え、グリル庫１７の上方部にはグリルバーナ２１を備えている。また、グリル庫１７の背部には燃焼により発生した排ガスを外部に開口する排気口３に誘導する煙道２２を設けている。そして、調理の際には前もって受け皿２０に一定量の水を入れてから加熱を開始し、焼き網１９上で焼かれた魚等の被調理物１８から出る油脂分、すなわ、焼き油を水面に落すことによって焼き油の発火を防止するようにしているのが一般的である。
【０００３】
【発明が解決しようとする課題】
しかしながら、消し忘れ等により受け皿２０に水がない状態で長時間燃焼が継続されると、受け皿２０に溜まった焼き油が異常過熱されて発火することがある。このようなことは通常使用においてはまずあり得ないことであるが、万が一発火するとグリル庫１７内の火炎が排気口３から外部に溢れ出てしまうおそれがある。
このような場合、使用者はびっくりして消火操作するがガスは停止しても魚等の被調理物や油が燃料となって燃え続け、特に、油脂分の極めて多い被調理物（たとえば、身欠き鰊など）ではそのもの自身が発火することと相まって使用者はどうしてよいかわからなくなりあわててしまい恐怖感をともなうばかりでなく、火災、火傷の危険もあるという問題点があった。
【０００４】
また、図示しないが被調理物をグリル庫内に充満する燃焼排ガスの対流加熱によって加熱調理し、被調理物の下方の受け皿に溜まった焼き油への輻射加熱を低減し、併せて、外気による受け皿の冷却と相まって受け皿に溜まった焼き油の温度上昇を抑え受け皿に水を張らなくても過熱による発火が防止される、いわゆる水無しグリルにおいても同様の問題点があった。
【０００５】
この発明のガスグリルは上記課題を解決し、消火操作と連動して排気口または煙道を閉塞しグリル発火による排気口からの炎溢れを確実に防止することにより使用者が安心して使用できるガスグリルの提供を目的としている。
【０００６】
【課題を解決するための手段】
（１）  上記課題を解決するこの発明の請求項１記載のガスグリルは、
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器の前方に上端を枢支して前後に回動可能に設けたプッシュ式操作手段であり、
前記煙道に支軸を支点として前後に回動して排気口を開閉する開閉板を有する開閉装置と、
前記操作手段と前記開閉装置の開閉板とを連設して前記開閉板の開閉を行う連動手段とを備え、
点火操作時に操作手段がプッシュ操作されると前記連動手段を介して前記開閉板が開かれ、また、消火操作時に操作手段が前方へ戻されると同時に前記連動手段で前記開閉板が閉じられることを要旨とする。
（２）  請求項２記載のガスグリルは、
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器の前方に上端を枢支して前後に回動可能に設けたプッシュ式操作手段であり、
前記煙道に設けたガイドレールに沿って移動して排気口を開閉するスライド式開閉板を有する開閉装置と、
枢軸を支点として前後へ回動する中間連動杆の上端を前記スライド式開閉板と連設し、かつ下端を前記操作手段とを連設して前記開閉板の開閉を行う連動手段とを備え、
点火操作時に操作手段がプッシュ操作されると前記連動手段を介して前記開閉板が開かれ、また、消火操作時に操作手段が前方へ戻されると同時に前記連動手段で前記開閉板が閉じられることを要旨とする。
（３）  請求項３記載のガスグリルは、
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器を点火操作時に時計方向に所定角度回動し、かつ消火操作時に反時計方向に所定角度回動する回転式操作手段であり、
前記煙道に支軸を支点として前後に回動して排気口を開閉する開閉板を有する開閉装置と、
前記点滅器のコック軸に回転方向に固定され、かつ開閉板を開閉するための凹部と凸部を有するカム板と、
枢軸を支点として上下回動可能に設けられ、基端部が前記カム板にバネで常時圧接して備えられかつ先端部が前記開閉装置の開閉板に連設され、前記カム板の回転による基端部の上下動により先端部が昇降されて前記開閉板の開閉を行う連動手段とを備え、
点火操作時、前記操作手段ともに回動される前記カム板により前記連動手段を介して前記開閉板が開かれ、消火操作時、前記操作手段ともに回動される前記カム板により前記連動手段を介して前記開閉板が閉じられることを要旨とする。
（４）  請求項４記載のガスグリルは、
ガスバーナにより被調理物を加熱調理するグリル庫と、
前記グリル庫内で発生した燃焼排気を排気口に導く煙道と、
前記ガスバーナを点火、消火操作する操作手段と
を備えたガスグリルにおいて、
前記操作手段は、点滅器を点火操作時に時計方向に所定角度回動し、かつ消火操作時に反時計方向に所定角度回動する回転式操作手段であり、
前記煙道に設けたガイドレールに沿ってスライド可能に備えて排気口を開閉するシャッター式開閉板を有する開閉装置と、
前記点滅器のコック軸に回転方向に固定され、かつ開閉板を開閉するための凹部と凸部を有するカム板と、
枢軸を支点として上下回動可能に設けられ、基端部が前記カム板にバネで常時圧接して備えられかつ先端部が前記開閉装置のシャッター式開閉板に連設され、前記カム板の回転による基端部の上下動により先端部が昇降されて前記開閉板の開閉を行う連動手段とを備え、
点火操作時、前記操作手段ともに回動される前記カム板により前記連動手段を介して前記開閉板が開かれ、消火操作時、前記操作手段ともに回動される前記カム板により前記連動手段を介して前記開閉板が閉じられることを要旨とする。
【０００７】
上記構成を有するこの発明のガスグリルは、グリルの点火、消火操作に連動して排気口または煙道を開閉する開閉装置を設けることにより、グリル発火して排気口から炎が溢れ出た場合でも消火操作すれば排気口または煙道が閉じて遮断できるから、排気口から炎が外部に溢れ出ることはない。この結果、使用者はあわてなくてすみ安心して使用でき、また、安全である。
【０００８】
【発明の実施の形態】
以上説明したこの発明の構成、作用を一層明らかにするために、以下にこの発明のガスグリルの好適な実施の形態について図面を参照して説明する。
【０００９】
図１〜図５はガスバーナを点火、消火操作する操作手段としてプッシュ式の点火ボタン１を用い、開閉装置としては開閉板２を用い、この開閉板２を排気口３の近傍に備えた場合のガスグリルであって、上記点火ボタン１と開閉板２を連動手段としての連杆４で連設して点火ボタン１の点火操作に連動して開閉板２が開き、点火ボタン１の消火操作に連動して開閉板２が閉じるように設けられている。そして、開閉板２は図１及び図３、図４に示されている回転開閉式のほか、図２に示されているスライド開閉式としてもよい。
【００１０】
詳しくは、先ず、回転開閉式の開閉板とした場合について説明すると、上端の枢軸５を支点として前後に回動する点火ボタン１の内側下端部に設けた支持凸部６と、排気口３内に装備され支軸７を支点として前後に回動する開閉板２と支軸７を介して一体に設けられたアーム８とを連杆４で連設して点火ボタン１と開閉板２とが連杆４及びアーム８を介して連動することにより開閉板２の開閉動作が点火ボタン１と連動して確実に行えるように設けられている。
【００１１】
そこで、点火操作にあたり、点火ボタン１を図示反時計方向に一定のストロークだけプッシュ操作したときは、図１の実線で示されているように開閉板２は連杆４及びアーム８を介して図示時計方向に所定の角度だけ回動して排気口３を開放する。次に、消火操作にあたり、点火ボタン１を再びプッシュしてロックを外し点火ボタン１が図示時計方向に一定のストロークだけ回動して元位置にまで戻ると、図１の鎖線で示されているように開閉板２は連杆４及びアーム８を介して図示反時計方向に所定の角度だけ回動して排気口３を開閉板２で閉塞するものである。
【００１２】
次に、スライド式の開閉板とした場合について説明すると、上端の枢軸５を支点として前後に回動する点火ボタン１の内側下端部に設けた支持凸部６と、ガイドレール９に沿って直線的にスライドして排気口３に挿入、脱出するスライド式開閉板２とを連杆４と中間連動杆１０を介して連設し点火ボタン１とスライド式開閉板２とが連杆４及び中間連動杆１０を介して連動するように設けられている。上記中間連動杆１０は枢軸１１を支点として前後へ回動できるように設けられ、その先端係合片１２を上記スライド式開閉板２の基端係合孔１３に挿入し、基端部１４には一端が上記点火ボタン１の支持凸部６に連結された連杆４の他端部が連結されてスライド式開閉板２の開閉動作が点火ボタン１と連動して確実に行えるように設けられている。
【００１３】
そこで、点火操作にあたり、点火ボタン１を図示反時計方向に一定のストロークだけプッシュ操作したときは、図２の実線で示されているようにスライド式開閉板２は連杆４及び中間連動杆１０を介して図示左方へ一定のストロークだけガイドレール９に沿って移動して排気口３から脱出し排気口３を開放する。次に、消火操作にあたり、点火ボタン１を再びプッシュしてロックを外し点火ボタン１が図示時計方向に一定のストロークだけ回動して元位置にまで戻ると、図２の鎖線で示されているようにスライド式開閉板２は連杆４及び中間連動杆１０を介して図示右方へ一定のストロークだけガイドレール９に沿って移動して排気口３に挿入され排気口３をスライド式開閉板２で閉塞するものである。
【００１４】
ガステーブルこんろに組み込まれたガスグリルは、２つのこんろ部１５、１６の間に設けられ、グリル庫１７内に被調理物１８を載置する焼き網１９と、被調理物１８からの焼き油等を受ける受け皿２０とを備え、グリル庫１７の上方部にはグリルバーナ２１を備えている。また、グリル庫１７の背部には燃焼により発生した排ガスを外部に開口する排気口３に誘導する煙道２２を設けており、グリル庫１７の前面開口にはグリル扉２３を備え、このグリル扉２３は把手２０ａ付きの受け皿２０の出し入れに連動して開閉するようになっている。そして、前面パネルにはこんろ用点火ボタン２４、２５と火力調節レバー２６、２７及び上記グリル用の点火ボタン１と火力調節レバー２８を備え、上記排気口３上には排気口カバー２９を備えている（図３〜図５参照）。
【００１５】
そこで、ガスグリルの使用に際し、その点火ボタン１をいっぱい押すと、先にも述べたように開閉板２またはスライド式開閉板２が作動して排気口３を開放すると同時にメイン弁３０、マグネット弁３１及びパイロット弁３２が開き、イグナイタ（図示せず）が作動してグリルバーナ２１に着火されると熱電対がこれを検知しマグネット弁３１を開保持する。点火ボタン１から手を離すと点火ボタン１は僅かに戻ってロックされ同時にパイロット弁３２は閉じるがメイン弁３０、マグネット弁３１は開状態にあり燃焼は継続され、排気口３も開放状態を維持する。使用状態にある点火ボタン１を再度押すとロックが外れて点火ボタン１は元の位置へ戻るため、開閉板２またはスライド式開閉板２が作動して排気口３を閉塞すると同時にメイン弁３０が閉じグリルバーナ２１は消火しマグネット弁３１も閉じる。なお、火力調節レバー２８を左右に動かすと、ニードル弁３３が移動して火力を無段階にコントロールできる。
【００１６】
図６〜図１１はガスバーナを点火、消火操作する操作手段として回転式の操作つまみ１０１を用い、開閉装置としては開閉板１０２を用い、この開閉板１０２を排気口１０３の近傍に備えた場合のガスグリルであって、上記操作つまみ１０１と開閉板１０２を連動手段としてのカム板１３４と連動レバー１０４で連設して操作つまみ１０１の点火操作に連動して開閉板１０２が開き、操作つまみ１０１の消火操作に連動して開閉板１０２が閉じるように設けられている。そして、開閉板１０２は図６及び図７に示されている回転開閉式のほか、図８及び図９に示されているシャッター開閉式としてもよい。
【００１７】
詳しくは、先ず、回転開閉式の開閉板とした場合について説明すると、先端に操作つまみ１０１を有するコック軸１０５に回転方向にのみ固定して備えられたカム板１３４と、排気口１０３内に装備され支軸１０７を支点として前後に回動する開閉板１０２と支軸１０７を介して一体に設けられたアーム１０８とを連動レバー１０４で連設して操作つまみ１０１と開閉板１０２とがカム板１３４、連動レバー１０４及びアーム１０８を介して連動するように設けられている。上記連動レバー１０４は枢軸１１１を支点として上下へ回動できるように設けられ、先端部に設けた係合凸片１１２を上記アーム１０８の係合長孔１１３に挿入して止めピン１１７で抜脱しないように連結し、基端部１１４は上記カム板１３４のカム面１３４ａに当接し、連動レバー１０４の基端部１１４と点滅器Ａとの間に張設した引張りバネ１１５のバネ力により連動レバー１０４の基端部１１４がカム板１３４のカム面１３４ａに常時圧接されて開閉板１０２の開閉動作が操作つまみ１０１と連動して確実に行えるように設けられている。
【００１８】
そこで、操作つまみ１０１が消火位置にあるときは、カム面１３４ａの凸部１３４ｂに連動レバー１０４の基端部１１４が圧接されていて連動レバー１０４の基端部１１４をコック軸１０５よりｈ1 の高さまで引張りバネ１１５のバネ力に抗して持ち上げて開閉板１０２を閉止状態に保持している（図６の実線の状態及び図７（イ）参照）。したがって、点火操作にあたり、操作つまみ１０１を、たとえば、図示時計方向へ３０度回動したところで連動レバー１０４の基端部１１４はカム面１３４ａの凹部１３４ｃに至り連動レバー１０４の基端部１１４はコック軸１０５よりｈ2 の高さまで引張りバネ１１５のバネ力によって引き下げられ連動レバー１０４は図示反時計方向に回動するため、開閉板１０２は連動レバー１０４及びアーム１０８を介して図示時計方向に回動されて開位置となり排気口１０３を開放する（図６の鎖線の状態及び図７（ロ）参照）。なお、上記操作つまみ１０１の３０度の回動範囲では上記動作により開閉板１０２を開くだけで点滅器Ａのガスコックは開かずガスは出ないようになっている。したがって、その後の回動範囲（たとえば、６０度）でガスコックが開いてバーナを燃焼させるものである。このとき、連動レバー１０４の基端部１１４はカム面１３４ａの凹部１３４ｃと同一高さの平面部１３４ｄにあって開閉板１０２を開状態に維持している（図７（ロ）の点線の状態及び図参照）。
次に、消火操作にあたり、操作つまみ１０１を、たとえば、図示反時計方向へ６０度回動したところでガスコックは閉止しバーナの燃焼は停止するが開閉板１０２は未だ開状態にある。そこで、さらに３０度操作つまみ１０１を図示反時計方向に回動すると、連動レバー１０４の基端部１１４がカム面１３４ａの凸部１３４ｂにのり上げて連動レバー１０４を図示時計方向に回動するため、連動レバー１０４及びアーム１０８を介して開閉板１０２を図示反時計方向に回動して閉位置とし排気口１０３を閉塞する。なお、上記開閉板１０２の開閉とコックの開閉動作は操作つまみ１０１を９０度の範囲において往復回動操作することにより行われるようにしているが、９０度〜１３０度の回動範囲で行われるようにしてもよい。
【００１９】
次に、シャッター開閉式の開閉板とした場合について説明すると、先端に操作つまみ１０１を有するコック軸１０５に回転方向にのみ固定して備えられたカム板１３４と、ガイドレール１０９に沿ってスライドして排気口３に挿入、脱出するステンレス等のシャッター式開閉板１０２とを連動レバー１０４を介して連設し操作つまみ１０１とシャッター式開閉板１０２とがカム板１３４、連動レバー１０４及び連結杆１１０を介して連動するように設けられている。上記連動レバー１０４は枢軸１１１を支点として上下へ回動できるように設けられ、その先端部は連結杆１１０を介してシャッター式開閉板１０２の基端部に連結され、基端部１１４は上記カム板１３４のカム面１３４ａに当接し、連動レバー１０４の基端部１１４と点滅器Ａとの間に張設した引張りバネ１１５のバネ力により連動レバー１０４の基端部１１４がカム板１３４のカム面１３４ａに常時圧接されてシャッター式開閉板１０２の開閉動作が操作つまみ１０１と連動して確実に行えるように設けられている。
【００２０】
そこで、操作つまみ１０１が消火位置にあるときは、カム面１３４ａの凹部１３４ｃに連動レバー１０４の基端部１１４が圧接されていて連動レバー１０４の基端部１１４をコック軸１０５よりｈ1 の高さまで引張りバネ１１５のバネ力で引き下げて連動レバー１０４を図示反時計方向に回動しシャッター式開閉板１０２をガイドレール１０９に沿って排気口１０３内に挿入し排気口１０３を閉塞した状態に保持している（図８の鎖線の状態及び図９（イ）参照）。したがって、点火操作にあたり、操作つまみ１０１を、たとえば、図示時計方向へ３０度回動したところで連動レバー１０４の基端部１１４はカム面１３４ａの凸部１３４ｂにのり上げてコック軸１０５よりｈ2 の高さまで引張りバネ１１５に抗して持ち上げられて連動レバー１０４は図示時計方向に回動するため、シャッター式開閉板１０２は連動レバー１０４及び連結杆１１０を介して引き下げられ排気口１０３から脱出し排気口１０３を開放する（図８の実線の状態及び図９（ロ）参照）。なお、上記操作つまみ１０１の３０度の回動範囲では上記動作によりシャッター式開閉板１０２を開くだけで点滅器Ａのガスコックは開かずガスは出ないようになっている。したがって、その後の回動範囲（たとえば、６０度）でガスコックが開いてバーナを燃焼させるものである。このとき、連動レバー１０４の基端部１１４はカム面１３４ａの凸部１３４ｂと同一高さの平面部１３４ｄにあってシャッター式開閉板１０２を開状態に維持している（図９（ロ）の点線の状態参照）。
次に、消火操作にあたり、操作つまみ１０１を、たとえば、図示反時計方向へ６０度回動したところでガスコックは閉止しバーナの燃焼は停止されるが、シャッター式開閉板１０２は未だ開状態にある。そこで、さらに３０度操作つまみ１０１を図示反時計方向に回動すると、連動レバー１０４の基端部１１４がカム面１３４ａの凸部１３４ｂから凹部１３４ｃに至り連動レバー１０４を図示反時計方向に回動するため、連動レバー１０４の先端部が持ち上げられ連結杆１１０を介してシャッター式開閉板１０２をガイドレール１０９に沿って排気口１０３内に挿入し排気口１０３を閉塞する。なお、上記シャッター式開閉板１０２の開閉とガスコックの開閉動作は操作つまみ１０１を９０度の範囲において往復回動操作することにより行われるようにしているが、９０度〜１３０度の回動範囲で行われるようにしてもよい。
【００２１】
以上のガスグリルにおいて、押し回わし式の場合、先ず、操作つまみ１０１を押すと、点滅器Ａのマグネット弁、パイロット弁が開き、押したまま操作つまみ１０１を９０度図示時計方向へ回動操作すると、当初の３０度の角度範囲で開閉板１０２またはシャッター式開閉板１０２を開いて排気口１０３を開放し、その後の６０度の角度範囲で点滅器Ａのガスコックを開いてパイロットバーナとメインバーナにガスが供給され圧電器３５が作動してパイロットバーナに点火しメインバーナに火移りして燃焼する。操作つまみ１０１から手を離すとパイロット弁は閉止するがメインバーナは燃焼を続け、マグネット弁は熱電対により炎を検知し開状態を保持する。
消火時は操作つまみ１０１を反時計方向へ６０度回動操作すると、ガスコックは閉止しメインバーナは消火する。この消火を熱電対が検知すると、マグネット弁も閉止する。その後、さらに３０度操作つまみ１０１を回動操作することで開閉板１０２またはシャッター式開閉板１０２は閉じて排気口１０３を閉塞する。なお、火力調節は操作つまみ１０１の６０度の回動範囲においてガスコックでガス通路を絞り火力を変化させるものである。図１０及び図１１において、１１５、１１６はこんろ部、１２４、１２５はこんろ用操作つまみ、１２３はグリル扉、１２９は排気口カバーである。
【００２２】
以上この発明の実施の形態について説明したが、この発明はこうした実施の形態に何等限定されるものではなく、この発明の要旨を逸脱しない範囲において種々なる形態で実施しうることは勿論である。
たとえば、本実施の形態のように開閉板を排気口に設けるほか、煙道に設けてもよく、また、開閉板の開閉に本実施の形態の機械的なものだけでなく、フェザータッチ式のものであっても、点火、消火信号により電気的に排気口または煙道を開閉してもよい。さらに、点火、消火操作する操作手段として本実施の形態の押し回わし式回転操作つまみのほか、単なる回転式のものであってもよい。
【００２３】
【発明の効果】
以上詳述したように、この発明のガスグリルは、点火、消火操作に連動して排気口または煙道を開閉する開閉装置を設けたので、グリル発火して排気口から炎が溢れ出た場合でも消火操作をすると、排気口または煙道が閉じて遮断され酸欠による炎の消火作用と相まって炎が外部に溢れ出ることはない。したがつて、使用者はびっくりしてあわてなくてすみ安心して使用でき、また、火災、火傷の危険もなく安全である。
【００２４】
加えて、グリル非使用時には排気口または煙道が閉塞されているので、排気口からの落下物のグリル庫内への侵入が防止でき、また、加熱調理後の調理物がさめにくく、さらには、グリル使用時には排気口または煙道が確実に開くので排気不良となることもないなどの効果をも併有する。
【図面の簡単な説明】
【図１】この発明のガスグリルのガスバーナを点火、消火操作する操作手段がプッシュボタン式の場合の要部の側面断面図である。
【図２】異なる例の同側面断面図である。
【図３】この発明のガスグリルの一例を示した全体の側面断面図である。
【図４】同正面断面図である。
【図５】同外観斜視図である。
【図６】操作手段が回転つまみ式の場合の要部の側面断面図である。
【図７】そのカム板と連動レバーの関係を示したもので、（イ）は開閉板が閉じた状態、（ロ）は開閉板が開いた状態を示す正面図である。
【図８】異なる例の要部の側面断面図である。
【図９】そのカム板と連動レバーの関係を示したもので、（イ）は開閉板が閉じた状態、（ロ）は開閉板が開いた状態を示す正面図である。
【図１０】外観正面図である。
【図１１】同平面図である。
【図１２】従来例の一例を示した全体の側面断面図である。
【符号の説明】
１…プッシュ式点火ボタン
２…開閉板
３…排気口
４…連杆
１０１…回転式操作つまみ
１０２…開閉板
１０３…排気口
１０４…連動レバー
１３４…カム板
【図１】
0004002353.tif 000002
【図２】
0004002353.tif 000003
【図３】
0004002353.tif 000004
【図４】
0004002353.tif 000005
【図５】
0004002353.tif 000006
【図６】
0004002353.tif 000007
【図７】
0004002353.tif 000008
【図８】
0004002353.tif 000009
【図９】
0004002353.tif 000010
【図１０】
0004002353.tif 000011
【図１１】
0004002353.tif 000012
【図１２】
0004002353.tif 000013